(57)【特許請求の範囲】
【請求項１】
フィルタを介して外気を吸い込んで発熱部品を冷却する冷却ファンの動作モードを平地モードと高地モードに切り替える切替手段と、この切替手段が平地モードのときは、予め記憶させている、冷却ファンを動作させる電圧に対する回転数との関係を示す平地モード時の基準電圧−回転数特性に基づき、現在冷却ファンを動作させている電圧に対する基準回転数を算出すると共に、現在動作中のファン回転数を取得し、得られた基準回転数よりも現在のファン回転数が所定の閾値を超えて大きい場合には報知手段を介してフィルタの目詰まり警告報知を行う一方、前記切替手段が高地モードのときは、冷却ファンを動作させる電圧に対する回転数との関係を示す高地モード時の基準電圧−回転数特性を取得すると共に、記憶手段に記憶させ、現在冷却ファンを動作させている電圧に対する基準回転数を、高地モード時の基準電圧−回転数特性に基づき算出すると共に、現在動作中のファン回転数を取得し、得られた基準回転数よりも現在のファン回転数が所定の閾値を超えて大きい場合には報知手段を介してフィルタの目詰まり警告報知を行う制御手段とを備えたことを特徴とするフィルタ目詰まり検知機構。
【請求項２】
フィルタを介して外気を吸い込んで発熱部品を冷却する冷却ファンの設置場所の気圧を検出する気圧検出手段と、前記気圧検出手段によって検出される気圧が所定の気圧以上の時は、予め記憶させている、冷却ファンを動作させる電圧に対する回転数との関係を示す平地モード時の基準電圧−回転数特性に基づき、現在冷却ファンを動作させている電圧に対する基準回転数を算出すると共に、現在動作中のファン回転数を取得し、得られた基準回転数よりも現在のファン回転数が所定の閾値を超えて大きい場合には報知手段を介してフィルタの目詰まり警告報知を行う一方、前記気圧検出手段によって検出される気圧が所定の気圧に満たない時は、冷却ファンを動作させる電圧に対する回転数との関係を示す高地モード時の基準電圧−回転数特性を取得すると共に、記憶手段に記憶させ、現在冷却ファンを動作させている電圧に対する基準回転数を、高地モード時の基準電圧−回転数特性に基づき算出すると共に、現在動作中のファン回転数を取得し、得られた基準回転数よりも現在のファン回転数が所定の閾値を超えて大きい場合には報知手段を介してフィルタの目詰まり警告報知を行う制御手段とを備えたことを特徴とするフィルタ目詰まり検知機構。
【請求項３】
請求項１または請求項２に記載の目詰まり検知機構を備えてフィルタの目詰まり検知を行うと共に、光源ランプから照射された光を映像信号に基づき変調し、変調された映像光を拡大投写することを特徴とする投写型映像表示装置。
【発明の詳細な説明】
【技術分野】
【０００１】
本願発明は、フィルタ目詰まり検知機構及びそれを用いた液晶プロジェクタ等の投写型映像表示装置に関するものである。
【背景技術】
【０００２】
液晶プロジェクタ等の投写型映像表示装置に限らず、各種の電子機器には、内部の発熱部品を冷却するための冷却ファンが必要である。また、塵や埃の侵入を嫌う機器の冷却空気の吸気口にはフィルタが設けられている。
【０００３】
上記フィルタには塵や埃が徐々に付着して目詰まりを起こすが、このフィルタ目詰まり検知を、圧力損失が大きくなると回転負荷が減少して回転数が高くなるファンの特性を利用して行う場合、フィルタに塵や埃が付着していないクリーンな状態でのファン電圧と回転数の基準特性カーブを作り、使用時に上記基準特性カーブからのズレ量が閾値を超えると、フィルタ目詰まりと判断している（例えば、特許文献１参照）。
【特許文献１】特開２０００−１５３１２１号公報
【発明の開示】
【発明が解決しようとする課題】
【０００４】
しかしながら、上記特許文献２のような技術では、高地に設置して動作させた場合、気圧の低下によって上記基準特性カーブが平地動作の場合と変化してしまうため、フィルタ目詰まり検知を精度良く行うことができないという問題がある。
【０００５】
そこで、本願発明はこのような課題を解決するためになされたものであり、高地でもフィルタ目詰まり検知を精度良く行うことができるフィルタ目詰まり検知機構及びそれを用いた投写型映像表示装置を提供することを目的とするものである。
【課題を解決するための手段】
【０００６】
上記のような目的を達成するために、本願発明の請求項１に係るフィルタ目詰まり検知機構は、フィルタを介して外気を吸い込んで発熱部品を冷却する冷却ファンの動作モードを平地モードと高地モードに切り替える切替手段と、この切替手段が平地モードのときは、予め記憶させている、冷却ファンを動作させる電圧に対する回転数との関係を示す平地モード時の基準電圧−回転数特性に基づき、現在冷却ファンを動作させている電圧に対する基準回転数を算出すると共に、現在動作中のファン回転数を取得し、得られた基準回転数よりも現在のファン回転数が所定の閾値を超えて大きい場合には報知手段を介してフィルタの目詰まり警告報知を行う一方、前記切替手段が高地モードのときは、冷却ファンを動作させる電圧に対する回転数との関係を示す高地モード時の基準電圧−回転数特性を取得すると共に、記憶手段に記憶させ、現在冷却ファンを動作させている電圧に対する基準回転数を、高地モード時の基準電圧−回転数特性に基づき算出すると共に、現状の動作中のファン回転数を取得し、得られた基準回転数よりも現在のファン回転数が所定の閾値を超えて大きい場合には報知手段を介してフィルタの目詰まり警告報知を行う制御手段とを備えたことを特徴とするものである。
【０００７】
請求項２に係るフィルタ目詰まり検知機構は、フィルタを介して外気を吸い込んで発熱部品を冷却する冷却ファンの設置場所の気圧を検出する気圧検出手段と、前記気圧検出手段によって検出される気圧が所定の気圧以上の時は、予め記憶させている、冷却ファンを動作させる電圧に対する回転数との関係を示す平地モード時の基準電圧−回転数特性に基づき、現在冷却ファンを動作させている電圧に対する基準回転数を算出すると共に、現在動作中のファン回転数を取得し、得られた基準回転数よりも現在のファン回転数が所定の閾値を超えて大きい場合には報知手段を介してフィルタの目詰まり警告報知を行う一方、前記気圧検出手段によって検出される気圧が所定の気圧に満たない時は、冷却ファンを動作させる電圧に対する回転数との関係を示す高地モード時の基準電圧−回転数特性を取得すると共に、記憶手段に記憶させ、現在冷却ファンを動作させている電圧に対する基準回転数を、高地モード時の基準電圧−回転数特性に基づき算出すると共に、現在動作中のファン回転数を取得し、得られた基準回転数よりも現在のファン回転数が所定の閾値を超えて大きい場合には報知手段を介してフィルタの目詰まり警告報知を行う制御手段とを備えたことを特徴とするものである。
【００１６】
請求項３に係る投写型映像表示装置は、請求項１または請求項２に記載の目詰まり検知機構を備えてフィルタの目詰まり検知を行うと共に、光源ランプから照射された光を映像信号に基づき変調し、変調された映像光を拡大投写することを特徴とするものである。
【発明の効果】
【００１８】
本願発明の請求項１記載のフィルタ目詰まり検知機構によれば、冷却ファンの動作モードを平地モードと高地モードに切り替える切替手段と、この切替手段が高地モードのときは、動作中のファン電圧を取得して、高地モード時の基準電圧−回転数特性に基づき前記ファン電圧時の基準回転数を求めると共に動作中のファン回転数を取得して、得られた基準回転数よりもファン回転数が所定の閾値を超えて大きい場合には報知手段を介してフィルタの目詰まり警告報知を行う制御手段とを備えたことにより、高地でもフィルタ目詰まり検知を精度良く行うことができる。
【００２０】
請求項２記載のフィルタ目詰まり検知機構によれば、気圧検出手段と、気圧検出手段によって検出される気圧が所定の気圧に満たない時は、高地モード時の基準電圧−回転数特性に基づき動作中のファン電圧時の基準回転数を求めると共に、得られた基準回転数よりも動作中のファン回転数が所定の閾値を超えて大きい場合には報知手段を介してフィルタの目詰まり警告報知を行う制御手段を備えたことにより、高地でもフィルタ目詰まり検知を精度良く行うことができる。
【００２８】
請求項３記載の投写型映像表示装置によれば、上記のようなフィルタ目詰まり検知機構を採用したことにより、当該装置内には、塵埃の侵入を最も嫌うと共に冷却を必要とする光学系を有しているので、特に有効である。
【発明を実施するための最良の形態】
【００３０】
以下、本願発明の実施形態を図面を参照して詳細に説明する。
【００３１】
図１〜図３は、本願発明の一実施形態である液晶プロジェクタの全体構成を示す斜視図で、図１は背面側斜め上方から見た外観斜視図、図２は同じくその上ケースや制御基板等を取り外して見た斜視図、図３は同じくその光学系を取り外して見た斜視図である。
【００３２】
図１に示すように、この液晶プロジェクタ１の外郭を成す本体ケース２は、やや横長の箱形形状を成し、上ケース２ａの上面中央部には、操作表示部３が設けられている。
【００３３】
また、背面側の左下側には冷却用の吸気口４が形成され、その上方には、映像や音声等の各種入出力ケーブルを接続するための入出力端子群などを露出させたＡＶパネル５が設けられている。上記吸気口４は、スリット状の多数の通気孔が開閉可能な蓋（開閉部材）６に形成されて成り、この開閉蓋６を開けることにより後述するフィルタが着脱可能になっている。
【００３４】
一方、背面側から見て右側面には、スリット状の多数の通気孔から成る排気口７が上ケース２ａから下ケース２ｂにわたって形成されている。
【００３５】
また、図２に示すように、前面側には投写レンズ８が露出している。本体ケース２（下ケース２ｂ）の内部には、前方から見て左側奥部に光源ランプユニット９が配置されていると共に、この光源ランプユニット９から前記投写レンズ３に至る光学系１０が略Ｌ字状に配置されている。
【００３６】
上記投写レンズ８の排気口７側には電源ユニット１１が配置されている。この電源ユニット１１と排気口７間には、排気ファンとして電源周り冷却用の軸流ファン（プロペラファン）１２が内蔵されている。また、排気ファンとしては、上記軸流ファン１２と並設されると共に光源ランプユニット９に隣接してランプ周り冷却用の軸流ファン（プロペラファン）１３が内蔵されている。さらに、光源ランプユニット９は、超高圧水銀ランプ等から成ってかなりの高温になるので、別途ランプ冷却専用の遠心ファン（シロッコファン）１４が備えられている。
【００３７】
一方、図３に示すように、吸気口４の内側には、ＲＧＢ（赤色，緑色，青色）各色毎の液晶パネルと偏光板や偏光ビームスプリッタ等を冷却するための吸気ファンとして２台の遠心ファン（シロッコファン）１５，１５が内蔵されており、これらの遠心ファン１５からの冷却風が吐出側ダクト１６を介して吹出口１７から液晶パネルと偏光板や偏光ビームスプリッタ等の光学部品に送風されて、これらが冷却されるようになっている。
【００３８】
図４，図５は本実施形態の吸気構造を示す図で、図４（ａ）は吸気口部分の分解斜視図、図４（ｂ）は開閉蓋とフィルタの関係を裏側から見た斜視図、図５は吸気口部分の要部縦断面図である。
【００３９】
本実施形態においては、前述した遠心ファン１５における吸入側ダクト１８の吸気口１９にフィルタ着脱用の開閉蓋６を有しており、電磁波を遮蔽するシールド部材２０をフィルタ２１と開閉蓋６の間に挿入すると、フィルタ着脱の際に邪魔になるうえ、吸気口１９周りの他のシールド部材と接触を保つことが困難になるため、吸気口１９にシールド部材２０を装着してからフィルタ２１を装着するようになっている。
【００４０】
外壁となる開閉蓋６と内壁となるシールド部材２０のそれぞれには、図５に示すように、吸気口１９の内側に配置されている遠心ファン１５と一直線上に配置されないように、多数の通気孔から成る吸気口４，２２がずらして形成されている。具体的には、開閉蓋６の吸気口４とシールド部材２０の吸気口２２を上下にずらして、シールド部材２０の吸気口２２が上側で、開閉蓋６の吸気口４が下側に位置するように形成されている。これにより、遠心ファン１５から発せられて吸入側ダクト１８の吸気口１９から漏れ出ようとする駆動音は、破線の矢印で示すように、シールド部材２０又は開閉蓋６の吸気口非形成部分で遮断されるので、開閉蓋６の吸気口４から装置外へ駆動音が直接漏れるのを防ぐことができる。
【００４１】
さらに、開閉蓋６とシールド部材２０間には、フィルタ濾材２３が襞折りされて成るプリーツ型フィルタ２１をその折り溝が開閉蓋６の吸気口４とシールド部材２０の吸気口２２間を繋ぐ方向と平行，すなわち本実施形態では上下方向になるように形成して配置されるようになっている。
【００４２】
なお、本実施形態においては、プリーツ型フィルタ２１の折り溝が上下方向を向くようにしたが、開閉蓋６の吸気口４とシールド部材２０の吸気口２２を左右方向（横方向）にずらして形成する場合は、プリーツ型フィルタ２１の折り溝も左右方向を向くようにする必要がある。
【００４３】
また、図４に示すように、フィルタ濾材（図示せず）が襞折りされて成るプリーツ型フィルタ２１の枠体２４の両端側面には、開閉蓋６方向に向かって延びると共に先端側がやや外側に向けられた弾性片２５が形成されている。一方、上記弾性片２５に対応した開閉蓋６の内面両側には、弾性片２５に向かって突出した状態に形成された押さえ突起２６が形成されており、開閉蓋６を閉じたときに押さえ突起２６がフィルタ枠体２４の弾性片２５の内側に係合摺接して、フィルタ２１をシールド部材２０を介して吸気口１９に弾性的に押さえ付けるように構成されている。
【００４４】
なお、本実施形態においては、上述したようにフィルタ２１の枠体２４側に弾性片２５を形成し、開閉蓋６側に押さえ突起２６を形成したが、逆にフィルタ２１の枠体２４側に突起を形成し、開閉蓋６側に弾性部材を形成しても良い。さらには、フィルタ２１の枠体２４と開閉蓋６のいずれか一方のみに他方に弾性的に当接する弾性部材を設けても良い。要は、フィルタ２１と開閉蓋６の少なくとも一方に、開閉蓋６を閉じたときにフィルタ２１をシールド部材２０を介して吸気口１９に弾性的に押さえ付ける弾性係合部材を備えれば良い。
【００４５】
図６（ａ）は、本実施形態の冷却ファン取付構造の要部を示す斜視図、図６（ｂ）はその要部縦断面図である。
【００４６】
本実施形態においては、上述した吸気口１９の内側に配置される冷却ファンとしての遠心ファン１５が、本体ケース２の下ケース２ｂを遠心ファン支持部材２７とし、遠心ファン１５の吸入口１５ａ側のダクト（吸入側ダクト）１８を遠心ファンカバー部材２８とした取付部２９に取り付けられている。
【００４７】
上記遠心ファン１５は、そのケーシング１５ｂの外周面に突設された一対の位置決め固定部１５ｃ，１５ｃが、これらに対応して遠心ファン支持部材２７から突設された位置決め固定部２７ｃ，２７ｃにネジ等により固定されて上記取付部２９に位置決め固定されるようになっている。
【００４８】
そして、下方の遠心ファン支持部材２７と上方の遠心ファンカバー部材２８の双方から遠心ファン１５に向けて、その位置決め固定部１５ｃよりも遠心ファン１５の羽根側で、遠心ファン１５の中心部に対して対称にそれぞれ一対の支持突起２７ａ，２８ａが突設されている。また、下側と上側の支持突起２７ａ，２８ａはそれぞれ同軸上に配置されている。本実施形態では、遠心ファン１５のケーシング１５ｂのうち大きな強度が得られる外周縁に対応して上記支持突起２７ａ，２８ａを形成している。
【００４９】
さらに、上記各支持突起２７ａ，２８ａの先端面には、合成ゴム等から成るリング状の弾性部材３０が接着剤等により貼り付けられるようになっている。すなわち、遠心ファン１５は、先端面に弾性部材３０が貼り付けられた上下の支持突起２８ａ，２７ａで挟み込まれるようにして弾性的に支持されるように構成されている。
【００５０】
なお、図６では、吸気口１９の内側に配置される２台の遠心ファン１５，１５の一方のみを示したが、他方も同様に構成されている。
【００５１】
図７は、本実施形態のフィルタ目詰まり検知機構を示すブロック図、図８はファン電圧−回転数特性の例をグラフ化して示した図である。
【００５２】
本実施形態においては、前述した遠心ファン（冷却ファン）１５の動作モードを平地モードと高地モードに切り替える高地／平地動作切替スイッチ（切替手段）５０がユーザメニューにソフトウエアスイッチとして備えれると共に、フィルタ目詰まりをＬＥＤの点滅表示等によって警告表示する警告表示部（報知手段）５１が前述した操作表示部３等に備えられている。なお、高地／平地動作切替スイッチ５０は操作表示部３等にハードウエアスイッチとして設けても良く、また、警告表示部５１の代わり或いは併用してブザーや音声等により警告報知するようにしても良い。
【００５３】
また、液晶プロジェクタ１の全体を制御するマイコン（制御手段）１００は、上述した高地／平地動作切替スイッチ５０が平地モードのときは、動作中のファン電圧を取得して、予めマイコン１００内の不揮発性メモリに記憶されている平地モード時の基準電圧−回転数特性（図８の「基準」を参照）に基づき上記ファン電圧時の基準回転数を求めると共に動作中のファン回転数を取得して、得られた基準回転数よりもファン回転数が所定の閾値（図８の「目詰まり」から「基準」を差し引いた値）を超えて大きい場合には上述した警告表示部５１を介して前述したフィルタ２１の目詰まり警告表示を行うように制御する。
【００５４】
一方、高地／平地動作切替スイッチ５０が高地モードになったとき，すなわち高地に設置されたとき（フィルタ２１はクリーンな状態）は、動作中のファン１５の電圧−回転数特性を取得してマイコン１００内の書き込み可能な不揮発性メモリに記憶すると共に、動作中のファン電圧を取得して、上記で取得して記憶してある高地モード時の基準電圧−回転数特性に基づき上記ファン電圧時の基準回転数を求めると共に動作中のファン回転数を取得して、得られた基準回転数よりもファン回転数が所定の閾値を超えて大きくなった場合には警告表示部５１を介してフィルタ２１の目詰まり警告報知を行うように制御する。
【００５５】
本実施形態の液晶プロジェクタ１は以上のように構成されて、図２に示した光源ランプユニット９から照射された光を光学系１０を介してＲＧＢの３色に分離すると共に、各色毎の液晶パネルで映像信号に基づき変調し、変調された映像光を合成して、投写レンズ８を介してスクリーン上に拡大投写するようになっている。
【００５６】
上記光学系１０を構成する各色毎の液晶パネルと偏光板や偏光ビームスプリッタ等の光学部品は、図３に示したように吸気口４の内側に内蔵された２台の遠心ファン１５，１５からの冷却風が吐出側ダクト１６を介して、上記光学部品の下側に形成された吹出口１７から吹き付けられて冷却される。
【００５７】
また、光源ランプユニット９は、図２に示したランプ冷却専用の遠心ファン１４からの吐出風が吹き付けれて冷却されると共に、温度が上昇したランプ周りの空気が軸流ファン１３により吸い込まれて排気口７から装置外に排出されることにより冷却される。
【００５８】
一方、電源ユニット１１は、温度が上昇した内部や周囲の空気が軸流ファン１２により吸い込まれて排気口７から装置外に排出されると共に、当該軸流ファン１２の吸引によって電源ユニット１１の内部や外表面に生じる空気流によって冷却される。
【００５９】
図９は、本実施形態のフィルタ目詰まり検知のマイコン１００による制御動作の要部を示すフローチャートであり、このフローチャートで示す制御が開始されると、先ず高地／平地動作切替スイッチ５０の状態に基づき、動作モードが平地モードか否かをチェックする（ステップ１０１）。
【００６０】
動作モードが平地モードであれば、動作中の遠心ファン１５のファン電圧（ＰＷＭ制御のデューティー比）Ｖ１を取得して（ステップＳ１０１のＹ→ステップＳ１０２）、予めマイコン１００内の不揮発性メモリに記憶されている平地モード時の基準電圧−回転数特性Ｑｄに基づき上記ファン電圧Ｖ１時の基準回転数Ｒｄ１を求める（ステップＳ１０３）。
【００６１】
次に、動作中の遠心ファン１５のファン回転数Ｒ１を取得して（ステップＳ１０４）、ファン回転数Ｒ１が基準回転数Ｒｄ１よりも所定の閾値Ａを超えて大きい（Ｒ１−Ｒｄ１＞Ａ）か否かをチェックする（ステップＳ１０５）。なお、上記所定の閾値Ａは、図８に示すようにファン電圧によって異なる値で、これらもマイコン１００内の不揮発性メモリに予め記憶されている。
【００６２】
ファン回転数Ｒ１が基準回転数Ｒｄ１よりも所定の閾値Ａを超えて大きくない間は、上記ステップＳ１０１に戻って上述した処理を繰り返すが、ファン回転数Ｒ１が基準回転数Ｒｄ１よりも所定の閾値Ａを超えて大きくなると、フィルタ２１が目詰まりしていることになるので、警告表示部５１を用いてＬＥＤの点滅表示等により目詰まり警告表示を行う（ステップＳ１０５のＹ→ステップＳ１０６）。この目詰まり警告表示によってフィルタ２１の目詰まりを知った利用者等が開閉蓋６を開けてフィルタ２１のメンテナンスを行うことで、フィルタ２１の目詰まりが解消される。
【００６３】
一方、フィルタ２１がクリーンな状態の液晶プロジェクタ１を高地に設置し、高地／平地動作切替スイッチ５０を高地モードに設置して動作させた場合には、ステップＳ１０１で、動作モードが平地モードでないと判断して、ステップＳ１０７に分岐する。
【００６４】
ステップＳ１０７では、設置された高地の高さ（気圧）における遠心ファン１５の動作中の電圧−回転数特性Ｑｎを新たに取得して、マイコン１００内の書き込み可能な不揮発性メモリに記憶する。
【００６５】
そして、前記と同様に、動作中の遠心ファン１５のファン電圧Ｖ２を取得して（ステップＳ１０８）、上記によってマイコン１００内の不揮発性メモリに記憶した高地モード時の基準電圧−回転数特性Ｑｎに基づき上記ファン電圧Ｖ２時の基準回転数Ｒｄ２を求める（ステップＳ１０９）。
【００６６】
次に、動作中の遠心ファン１５のファン回転数Ｒ２を取得して（ステップＳ１１０）、ファン回転数Ｒ２が基準回転数Ｒｄ２よりも所定の閾値Ａを超えて大きい（Ｒ２−Ｒｄ２＞Ａ）か否かをチェックする（ステップＳ１１１）。
【００６７】
ファン回転数Ｒ２が基準回転数Ｒｄ２よりも所定の閾値Ａを超えて大きくない間は、上記ステップＳ１０８に戻って上述した処理を繰り返すが、ファン回転数Ｒ２が基準回転数Ｒｄ２よりも所定の閾値Ａを超えて大きくなると、フィルタ２１が目詰まりしていることになるので、警告表示部５１を用いてＬＥＤの点滅表示等により目詰まり警告表示を行う（ステップＳ１１１のＹ→ステップＳ１１２）。この目詰まり警告表示によってフィルタ２１の目詰まりを知った利用者等が開閉蓋６を開けてフィルタ２１のメンテナンスを行うことで、フィルタ２１の目詰まりが解消される。
【００６８】
上記高地モード時には、動作モードを変更しない限り，すなわち設置場所が変わらない限り、ステップ１１３からステップＳ１０８に戻って上述した処理が繰り返されるので、ステップＳ１０７の「動作中の電圧−回転数特性Ｑｎの取得」が繰り返し行われることはなく、設置場所を変更したときに動作モード変更を行うと、最初のステップＳ１０１に戻って最初からの処理が実行される。
【００６９】
以上のように、本実施形態のフィルタ目詰まり検知機構によれば、冷却ファンとしての遠心ファン１５の動作モードを平地モードと高地モードに切り替える高地／平地動作切替スイッチ５０と、この高地／平地動作切替スイッチ５０が高地モードのときは、動作中のファン電圧Ｖ２を取得して、高地モード時の基準電圧−回転数特性Ｑｎに基づき前記ファン電圧Ｖ２時の基準回転数Ｒｄ２を求めると共に動作中のファン回転数Ｒ２を取得して、得られた基準回転数Ｒｄ２よりもファン回転数Ｒ２が所定の閾値Ａを超えて大きい場合には警告表示部５１を介してフィルタ２１の目詰まり警告表示を行うようにしたことにより、高地でもフィルタ目詰まり検知を精度良く行うことができる。
【００７０】
さらに、平地モード時の基準電圧−回転数特性Ｑｄとして予め記憶されたものを用いる一方、高地モード時の基準電圧−回転数特性Ｑｎとしては高地／平地動作切替スイッチ５０が高地モードに切り替えられたときに取得したものを用いることにより、設置した高地の高さ（気圧）に応じた基準電圧−回転数特性Ｑｎに基づきフィルタ目詰まり検知が行われるので、高地でのフィルタ目詰まり検知をより精度良く行うことができる。
【００７１】
また、本実施形態の液晶プロジェクタ１のような投写型映像表示装置に上記のようなフィルタ目詰まり検知機構を採用したことにより、当該装置内には、塵埃の侵入を最も嫌うと共に冷却を必要とする光学系を有しているので、特に有効である。
【００７２】
一方、本実施形態の吸気構造によれば、フィルタ２１と開閉蓋６の少なくとも一方に、開閉蓋６を閉じたときにフィルタ２１をシールド部材２０を介して吸気口１９に弾性的に押さえ付ける弾性係合部材を備えたことにより、吸気口１９とシールド部材２０とフィルタ２１を密着させることができるので、吸気口１９とフィルタ２１の間にシールド部材２０を配置してもフィルタ性能を向上することができる。
【００７３】
さらに、上記弾性係合部材を、フィルタ２１の枠体２４の両端側面に形成された弾性片２５と、当該弾性片２５に対応した開閉蓋６の内面両側に弾性片２５に向かって突出した状態に形成された押さえ突起２６とから構成したことにより、比較簡単な構成で安価にフィルタ性能を向上することができる。
【００７４】
また、吸気口４，２２をずらして形成した開閉蓋６とシールド部材２０間に、プリーツ型フィルタ２１をその折り溝が開閉蓋６の吸気口４とシールド部材２０の吸気口２２間を繋ぐ方向と平行になるように形成して配置したことにより、プリーツ型フィルタ２１の折り溝が吸気流路となって別途吸気流路のスペースを確保する必要がないので、吸気口４から遠心ファン１５の駆動音が装置外へ直接漏れるのを防ぐことができると共に、フィルタ２１の厚み分のスペースだけで済んで、装置が大型化するのを防ぐことができる。
【００７５】
さらに、開閉蓋６の吸気口４とシールド部材２０の吸気口２２を上下にずらして、シールド部材２０の吸気口２２が上側で開閉蓋６の吸気口４が下側に位置するように形成したことにより、吸気口４から遠心ファン１５の駆動音が僅かに漏れても、漏れた駆動音は下方に向かうので、一般的な床設置形態での利用者への影響が特に少なくなる。
【００７６】
そして、本実施形態の液晶プロジェクタ１のような投写型映像表示装置に上記のような吸気構造を採用したことにより、吸気口４から遠心ファン１５の駆動音が漏れるのを抑制することができると共に、フィルタ２１の厚み分のスペースで済むので、より静かな環境で映像を鑑賞できると共に、装置が大型化するのを防ぐことができ、また、塵埃の侵入を最も嫌う光学系を有しているので、フィルタ性能を向上することができて、特に有効である。
【００７７】
また、従来よりファン外周を覆うような防振ファンカバーはあるが、このような防振ファンカバーでは外周側に吐出口がない軸流ファンでも特殊な形状の弾性部材が必要でコスト高となる。これに対して、本実施形態の冷却ファン（遠心ファン）取付構造によれば、支持突起２７ａ，２８ａの先端面に貼り付ける簡単な弾性部材３０で済むので、特殊な形状の弾性部材を必要とせずに、遠心ファン１５の振動が本体ケース２へ伝播して騒音となるのを抑制する構造を安価に実現できる。さらに、遠心ファン１５の固定部１５ｃ以外で、固定部１５ｃよりも大きな振動が発生する羽根側を弾性部材３０を介して支持することで、固定部１５ｃに弾性部材を備えるよりも大きな制振効果を得ることができる。
【００７８】
また、ファン外周を覆う従来の防振ファンカバーを本実施形態のように外周側に吐出口がある遠心ファン１５に適用する場合には、軸流ファンと比べてさらに複雑な形状が必要になるので、より効果的である。
【００７９】
また、各支持突起２７ａ，２７ａ及び２８ａ，２８ａは遠心ファン１５の中心部に対して対称に配置されているので、安定した状態で支持しながら大きな制振効果を得ることができる。
【００８０】
さらに、下側と上側の支持突起２７ａ，２８ａは同軸上に配置されているので、両面側から安定した状態で支持しながら大きな制振効果を得ることができる。
【００８１】
また、遠心ファンカバー部材２８に遠心ファン１５の吸入側ダクト１８を用いたことにより、吸入側ダクト１８を有効利用して安価に実現できる。
【００８２】
さらに、遠心ファン支持部材２７に遠心ファン１５が収納される本体ケース２の下ケース２ｂを用いたことにより、本体ケース２の下ケース２ｂを有効利用して安価に実現できる。
【００８３】
また、本実施形態の液晶プロジェクタ１のような投写型映像表示装置に上記のような冷却ファン（遠心ファン）取付構造を採用したことにより、遠心ファン１５の振動が本体ケース２に伝播して騒音が大きくなるのを安価に且つ効果的に防ぐことができるので、より静かな環境で映像を鑑賞できて、特に有効である。
【００８４】
図１０は、フィルタ目詰まり検知機構の他の実施形態を示すブロック図である。
【００８５】
本実施形態においては、前記実施形態の高地／平地動作切替スイッチ５０に代わって気圧センサ５２が備えられている。
【００８６】
また、マイコン（制御手段）１００は、動作中のファン電圧を取得して、予めマイコン１００内の不揮発性メモリに記憶されている平地モード時の基準電圧−回転数特性に基づき上記ファン電圧時の基準回転数を求めると共に動作中のファン回転数を取得して、気圧センサ５２によって検出される気圧が所定の気圧（平地と高地の境の気圧）以上の時は、得られた基準回転数よりもファン回転数が所定の閾値を超えて大きい場合に警告表示部５１を介してフィルタ２１の目詰まり警告表示を行うように制御する。
【００８７】
一方、気圧センサ５２によって検出される気圧が所定の気圧に満たない時は、予めマイコン１００内の不揮発性メモリに記憶されている高地モード時の基準電圧−回転数特性に基づき上記ファン電圧時の基準回転数を求めると共に、得られた基準回転数よりもファン回転数が所定の閾値を超えて大きい場合には警告表示部５１を介してフィルタ２１の目詰まり警告表示を行うように制御する。
【００８８】
図１１は、本実施形態のフィルタ目詰まり検知のマイコン１００による制御動作の要部を示すフローチャートであり、このフローチャートで示す制御が開始されると、先ず動作中の遠心ファン１５のファン電圧（ＰＷＭ制御のデューティー比）Ｖ１を取得する（ステップＳ２０１）
【００８９】
次に、予めマイコン１００内の不揮発性メモリに記憶されている平地モード時の基準電圧−回転数特性Ｑｄに基づき上記ファン電圧Ｖ１時の基準回転数Ｒｄ１を求めると共に、動作中の遠心ファン１５のファン回転数Ｒ１を取得する（ステップＳ２０２→ステップＳ２０３）。
【００９０】
そして、気圧センサ５２の出力気圧Ｔ１を取得し、得られた気圧Ｔ１が平地と高地の境の気圧Ｔａより小さいか否かをチェックする（ステップＳ２０４→ステップＳ２０５）。
【００９１】
気圧Ｔ１が平地と高地の境の気圧Ｔａより小さくない場合は、上記ファン回転数Ｒ１が基準回転数Ｒｄ１よりも所定の閾値Ａを超えて大きい（Ｒ１−Ｒｄ１＞Ａ）か否かをチェックする（ステップＳ２０５のＮ→ステップＳ２０６）。
【００９２】
ファン回転数Ｒ１が基準回転数Ｒｄ１よりも所定の閾値Ａを超えて大きくない間は、上記ステップＳ２０１に戻って上述した処理を繰り返すが、ファン回転数Ｒ１が基準回転数Ｒｄ１よりも所定の閾値Ａを超えて大きくなると、フィルタ２１が目詰まりしていることになるので、警告表示部５１を用いてＬＥＤの点滅表示等により目詰まり警告表示を行う（ステップＳ２０６のＹ→ステップＳ２０７）。この目詰まり警告表示によってフィルタ２１の目詰まりを知った利用者等が開閉蓋６を開けてフィルタ２１のメンテナンスを行うことで、フィルタ２１の目詰まりが解消される。
【００９３】
一方、フィルタ２１がクリーンな状態の液晶プロジェクタ１を高地に設置すると、上記気圧センサ５２によって検出される気圧Ｔ１が平地と高地の境の気圧Ｔａより小さくなるので、ステップＳ２０５からステップＳ２０８に分岐する。
【００９４】
ステップＳ２０８では、予めマイコン１００内の不揮発性メモリに記憶されている高地モード時の基準電圧−回転数特性Ｑａに基づき上記ファン電圧Ｖ１時の基準回転数Ｒａ１を求める。
【００９５】
そして、上記ファン回転数Ｒ１が基準回転数Ｒａ１よりも所定の閾値Ａを超えて大きい（Ｒ１−Ｒａ１＞Ａ）か否かをチェックする（ステップＳ２０９）。
【００９６】
ファン回転数Ｒ１が基準回転数Ｒａ１よりも所定の閾値Ａを超えて大きくない間は、上記ステップＳ２０１に戻って上述した処理を繰り返すが、ファン回転数Ｒ１が基準回転数Ｒａ１よりも所定の閾値Ａを超えて大きくなると、フィルタ２１が目詰まりしていることになるので、警告表示部５１を用いてＬＥＤの点滅表示等により目詰まり警告表示を行う（ステップＳ２０９のＹ→ステップＳ２０７）。この目詰まり警告表示によってフィルタ２１の目詰まりを知った利用者等が開閉蓋６を開けてフィルタ２１のメンテナンスを行うことで、フィルタ２１の目詰まりが解消される。
【００９７】
なお、上記では、高地モード時の基準電圧−回転数特性Ｑａを一種類しか予め記憶していないが、例えば１０００ｍ〜２０００ｍの特性、２０００ｍ〜３０００ｍの特性というように、所定の気圧範囲毎に高地モード時の基準電圧−回転数特性を複数種用意して予め記憶しておき、気圧センサ５２によって検出される気圧に応じて、予め記憶された複数の基準電圧−回転数特性の中から選択して用いるようにしても良い。
【００９８】
以上のように、本実施形態のフィルタ目詰まり検知機構によれば、気圧センサ５２によって検出される気圧Ｔ１が所定の気圧Ｔａに満たない時は、高地モード時の基準電圧−回転数特性Ｑａに基づき動作中のファン電圧Ｖ１時の基準回転数Ｒａ１を求めると共に、得られた基準回転数Ｒａ１よりも動作中のファン回転数Ｒ１が所定の閾値Ａを超えて大きい場合には警告表示部５１を介してフィルタの目詰まり警告表示を行うようにしたことにより、高地でもフィルタ目詰まり検知を精度良く行うことができる。
【００９９】
また、平地モード時の基準電圧−回転数特性Ｑｄ及び高地モード時の基準電圧−回転数特性Ｑａとして、それぞれ予め記憶されたものを用いることにより、制御が余り複雑になることなく、高地でもフィルタ目詰まり検知を精度良く行うことができる。
【０１００】
さらに、高地モード時の基準電圧−回転数特性Ｑａとして、所定の気圧範囲毎に予め記憶された複数の基準電圧−回転数特性の中から気圧センサ５２によって検出される気圧に応じて選択して用いるようにすれば、高地でのフィルタ目詰まり検知をより精度良く行うことができる。
【０１０１】
なお、上記各実施形態のフィルタ目詰まり検知においては、ファン電圧を基準とした基準電圧−回転数特性に基づく制御例について示したが、逆に、ファン回転数を基準とした基準回転数−電圧特性に基づき制御することも可能である。この場合には、上述してきた実施形態の「電圧」と「回転数」が逆になると共に、気圧の低下や目詰まりによって、同じファン電圧に対してファン回転数は大きくなるが、同じファン回転数に対してはファン電圧は小さくなるので、ファン電圧が所定の閾値を超えて小さい場合にフィルタの目詰まり警告報知を行うようにすれば良い。
【０１０２】
また、上記実施形態では、投写型映像表示装置として光変調素子に液晶パネルを用いた液晶プロジェクタを示したが、他の映像光生成系を備える投写型映像表示装置においても本願発明を適用することができる。すなわち、ＤＬＰ（Digital Light Processing；テキサス・インスツルメンツ（TI）社の登録商標）方式等のプロジェクタにおいても本願発明を適用することができる。また、前面投写型の他、背面投写型映像表示装置においても本願発明を適用することができる。
【０１０３】
また、投写型映像表示装置に限らず、一般的な電子機器においても、上記のようなフィルタ目詰まり検知機構や吸気構造や冷却ファン取付構造を採用することにより、高地でもフィルタ目詰まり検知を精度良く行うことができ、また、吸気口から冷却ファンの駆動音が漏れるのを抑制することができると共に、フィルタの厚み分のスペースで済むので機器の大型化を防ぐことができ、また、フィルタ性能を向上することができ、さらには冷却ファンの振動が機器本体に伝播して騒音が大きくなるのを安価に且つ効果的に防ぐことができる。
【図面の簡単な説明】
【０１０４】
【図１】本願発明の一実施形態としての液晶プロジェクタの全体構成を示す斜視図で、背面側斜め上方から見た外観斜視図。
【図２】同じくその上ケースや制御基板等を取り外して見た斜視図。
【図３】同じくその光学系を取り外して見た斜視図。
【図４】本実施形態の吸気構造を示す図で、（ａ）は吸気口部分の分解斜視図、（ｂ）は開閉蓋とフィルタの関係を裏側から見た斜視図。
【図５】同じく吸気口部分の要部縦断面図。
【図６】本実施形態の冷却ファン取付構造を示す図で、（ａ）はその要部を示す斜視図、（ｂ）はその要部縦断面図。
【図７】本実施形態のフィルタ目詰まり検知機構を示すブロック図。
【図８】ファン電圧−回転数特性の例をグラフ化して示した図。
【図９】本実施形態のフィルタ目詰まり検知のマイコンによる制御動作の要部を示すフローチャート。
【図１０】他の実施形態のフィルタ目詰まり検知機構を示すブロック図。
【図１１】他の実施形態のフィルタ目詰まり検知のマイコンによる制御動作の要部を示すフローチャート。
【符号の説明】
【０１０５】
１  液晶プロジェクタ
２  本体ケース
２ａ  上ケース
２ｂ  下ケース
４  吸気口
６  開閉蓋
７  排気口
８  投写レンズ
９  光源ランプユニット
１０  光学系
１１  電源ユニット
１２，１３  軸流ファン
１４，１５  遠心ファン
１５ａ  吸入口
１５ｂ  ケーシング
１５ｃ  位置決め固定部
１６  吐出側ダクト
１７  吹出口
１８  吸入側ダクト
１９  吸気口
２０  シールド部材
２１  フィルタ
２２  吸気口
２３  フィルタ濾材
２４  フィルタ枠体
２５  弾性片
２６  押さえ突起
２７  遠心ファン支持部材
２７ａ  支持突起
２７ｃ  位置決め固定部
２８  遠心ファンカバー部材
２８ａ  支持突起
２９  取付部
３０  弾性部材
５０  高地／平地動作切替スイッチ
５１  警告表示部
５２  気圧センサ
１００  マイコン
【図１】
0005216280.tif 000002
【図２】
0005216280.tif 000003
【図３】
0005216280.tif 000004
【図４】
0005216280.tif 000005
【図５】
0005216280.tif 000006
【図６】
0005216280.tif 000007
【図７】
0005216280.tif 000008
【図８】
0005216280.tif 000009
【図９】
0005216280.tif 000010
【図１０】
0005216280.tif 000011
【図１１】
0005216280.tif 000012